(57)【要約】【課題】洗浄力を維持向上でき、且つ、臭い低減や手荒れ防止を実現できる水系改質洗剤の製造方法を提供すること。【解決手段】容器に、変性吸水性ポリマーと、水で希釈して用いられるｐＨ１２．０〜１３．６の水系洗剤原液と、を混合撹拌して、水系改質洗剤を製造するに際して、得られる前記水系改質洗剤のｐＨを、１０．０〜１１．５の範囲とする、又は、容器に、変性吸水性ポリマーを水に溶解してなる液（Ａ液）を入れ、次いで、撹拌しながら、水で希釈して用いられるｐＨ１２．０〜１３．６の水系洗剤原液を添加し、混合撹拌することにより水系改質洗剤を得る際に、得られる前記水系改質洗剤のｐＨを、１０．０〜１１．５の範囲とする。【選択図】なし【特許請求の範囲】
【請求項１】
容器に、変性吸水性ポリマーと、水で希釈して用いられるｐＨ１２．０〜１３．６の水系洗剤原液と、を混合撹拌して、水系改質洗剤を製造するに際して、
得られる前記水系改質洗剤のｐＨを、１０．０〜１１．５の範囲とすることを特徴とする水系改質洗剤の製造方法。
【請求項２】
容器に、変性吸水性ポリマーを水に溶解してなる液（Ａ液）を入れ、
次いで、撹拌しながら、水で希釈して用いられるｐＨ１２．０〜１３．６の水系洗剤原液を添加し、混合撹拌することにより水系改質洗剤を得る際に、
得られる前記水系改質洗剤のｐＨを、１０．０〜１１．５の範囲とすることを特徴とする水系改質洗剤の製造方法。
【請求項３】
容器に、変性吸水性ポリマーを水に溶解してなる液（Ａ液）を入れ、
次いで、撹拌しながら、下記Ｉ群から選択される少なくとも１種の化合物と、下記ＩＩ群から選択される少なくとも１種の化合物とを、水で希釈して得られる液（Ｂ液）を徐々に添加し、
次いで、撹拌しながら、水で希釈して用いられるｐＨ１２．０〜１３．６の水系洗剤原液を添加し、混合撹拌することにより前記水系改質洗剤を得る際に、
得られる前記水系改質洗剤のｐＨを、１０．０〜１１．５の範囲とすることを特徴とする水系改質洗剤の製造方法。
〔Ｉ群〕
水ガラス（珪酸ナトリウム）、ウレタン樹脂エマルジョン、酢酸ビニル樹脂エマルジョン、アクリル樹脂エマルジョン、ポリアクリル酸ナトリウム、オルガノポリシロキサン、シランカップリング剤又はポリビニルアルコール樹脂エマルジョン
〔ＩＩ群〕
カルボキシメチルセルロース、メチルセルロース、ヒドロキシエチルセルロース又はヒドロキシメチルセルロース、ゼラチン、アルブミン、カゼイン、アルギン酸ソーダ、寒天、ペクチン、カラギナン、ガーガム、ポリ酢酸ビニール、ポリ塩化ビニール、ポリ塩化ビニリデン、変性ポリエステル、ポリビニルアルコール、ポリビニルアルコール架橋体、ポリアクリル酸アルキル共重合体、ポリアクリル酸アルキル、ポリアクリル酸架橋体、水溶性ポリアミド、ポリアルキレンオキサイド重合体、無水珪酸、ヘクトライト、珪酸アルミニウム・マグネシウム又は珪酸ナトリウム・マグネシウム
【請求項４】
希釈する水が、脱イオン水であることを特徴とする請求項１〜３の何れかに記載の水系改質洗剤の製造方法。
【発明の詳細な説明】
【技術分野】
【０００１】
本発明は、水系改質洗剤の製造方法に関し、より詳しくは、洗浄力を維持向上でき、且つ、洗剤成分の臭い低減や手荒れ防止を実現できる水系改質洗剤の製造方法に関する。
【背景技術】
【０００２】
台所などの流し台などに強固にこびり付いた油などの汚染物質を除去するために、アルカリ性の水系洗剤が用いられている。
【０００３】
一方、出願人は、変性吸水性ポリマーを添加することにより水系洗剤を改質することについて研究し、変性吸水性ポリマーが、吸水作用と共に、脱水作用に優れることを利用して、水溶化された汚れを変性吸水性ポリマー内に吸収する効率を高め、洗浄力を高めることを提案してきた（特許文献１）。
【先行技術文献】
【特許文献】
【０００４】
【特許文献１】特開２０１１−１２０８９号公報
【発明の概要】
【発明が解決しようとする課題】
【０００５】
ｐＨ１２．０〜１３．６の範囲のアルカリ性水系洗剤原液が知られているが、かかるアルカリ性の水系洗剤原液は、臭いを低減し、且つ手荒れを防止する観点から、１０〜３０倍の範囲で希釈して使用することが推奨されている。
【０００６】
本発明者は、先に提案した変性吸水性ポリマーを上記のアルカリ性の水系洗剤原液と併用したところ、希釈倍率を少なくし、ｐＨが、１０．０〜１１．５の範囲で使用した際に、洗浄力を維持向上でき、臭い低減及び手荒れ防止の効果を発揮することを見出し、本発明に至った。
【０００７】
そこで、本発明の課題は、洗浄力を維持向上でき、且つ、臭い低減や手荒れ防止を実現できる水系改質洗剤の製造方法を提供することにある。
【０００８】
また本発明の他の課題は、以下の記載によって明らかとなる。
【課題を解決するための手段】
【０００９】
上記課題は、以下の各発明によって解決される。
【００１０】
（請求項１）
容器に、変性吸水性ポリマーと、水で希釈して用いられるｐＨ１２．０〜１３．６の水系洗剤原液と、を混合撹拌して、水系改質洗剤を製造するに際して、
得られる前記水系改質洗剤のｐＨを、１０．０〜１１．５の範囲とすることを特徴とする水系改質洗剤の製造方法。
【００１１】
（請求項２）
容器に、変性吸水性ポリマーを水に溶解してなる液（Ａ液）を入れ、
次いで、撹拌しながら、水で希釈して用いられるｐＨ１２．０〜１３．６の水系洗剤原液を添加し、混合撹拌することにより水系改質洗剤を得る際に、
得られる前記水系改質洗剤のｐＨを、１０．０〜１１．５の範囲とすることを特徴とする水系改質洗剤の製造方法。
【００１２】
（請求項３）
容器に、変性吸水性ポリマーを水に溶解してなる液（Ａ液）を入れ、
次いで、撹拌しながら、下記Ｉ群から選択される少なくとも１種の化合物と、下記ＩＩ群から選択される少なくとも１種の化合物とを、水で希釈して得られる液（Ｂ液）を徐々に添加し、
次いで、撹拌しながら、水で希釈して用いられるｐＨ１２．０〜１３．６の水系洗剤原液を添加し、混合撹拌することにより前記水系改質洗剤を得る際に、
得られる前記水系改質洗剤のｐＨを、１０．０〜１１．５の範囲とすることを特徴とする水系改質洗剤の製造方法。
〔Ｉ群〕
水ガラス（珪酸ナトリウム）、ウレタン樹脂エマルジョン、酢酸ビニル樹脂エマルジョン、アクリル樹脂エマルジョン、ポリアクリル酸ナトリウム、オルガノポリシロキサン、シランカップリング剤又はポリビニルアルコール樹脂エマルジョン
〔ＩＩ群〕
カルボキシメチルセルロース、メチルセルロース、ヒドロキシエチルセルロース又はヒドロキシメチルセルロース、ゼラチン、アルブミン、カゼイン、アルギン酸ソーダ、寒天、ペクチン、カラギナン、ガーガム、ポリ酢酸ビニール、ポリ塩化ビニール、ポリ塩化ビニリデン、変性ポリエステル、ポリビニルアルコール、ポリビニルアルコール架橋体、ポリアクリル酸アルキル共重合体、ポリアクリル酸アルキル、ポリアクリル酸架橋体、水溶性ポリアミド、ポリアルキレンオキサイド重合体、無水珪酸、ヘクトライト、珪酸アルミニウム・マグネシウム又は珪酸ナトリウム・マグネシウム
【００１３】
（請求項４）
希釈する水が、脱イオン水であることを特徴とする請求項１〜３の何れかに記載の水系改質洗剤の製造方法。
【発明の効果】
【００１４】
本発明によれば、洗浄力を維持向上でき、且つ、臭い低減や手荒れ防止を実現できる水系改質洗剤の製造方法を提供することができる。
【発明を実施するための形態】
【００１５】
本発明に係る水系改質洗剤の製造方法の第１態様では、容器に、変性吸水性ポリマーと、水で希釈して用いられるｐＨ１２．０〜１３．６の水系洗剤原液と、を混合撹拌して、水系改質洗剤を製造するに際して、得られる前記水系改質洗剤のｐＨを、１０．０〜１１．５の範囲とする。
【００１６】
好ましい態様としては、まず、スプレー容器に、変性吸水性ポリマーを水に溶解してなる液（Ａ液）を入れ、次いで、撹拌しながら、水で希釈して用いられるｐＨ１２．０〜１３．６の水系洗剤原液を添加し、混合撹拌することにより水系改質洗剤を得る際に、得られる前記水系改質洗剤のｐＨを、１０．０〜１１．５の範囲とする。
【００１７】
これにより、比較的高いｐＨであるにもかかわらず、臭い低減や手荒れ防止を実現できる効果が奏される。
【００１８】
このような効果が奏される理由は、必ずしも明らかではないが、臭いの原因となる成分や、肌との接触により手荒れを生じる原因となる成分が、変性吸水性ポリマーによって好適に取り囲まれることにより、比較的高いｐＨであるにもかかわらず、臭いや手荒れが緩和されるものと考えられる。
【００１９】
更に、本発明によれば、同等の臭い低減や手荒れ防止を実現するために大幅に希釈した従来の水系洗剤と比べて、洗浄力を維持向上できる。
【００２０】
本発明に用いられるｐＨ１２．０〜１３．６の水系洗剤原液は、界面活性剤を含むことが好ましい。界面活性剤としては、非イオン性界面活性剤や陰イオン系界面活性剤が好ましく用いられ、非イオン性界面活性剤としては、ポリオキシエチレンアルキルエーテル、ポリオキシアルキレンアルキルエーテル、ポリオキシエチレンアルキルフェニルエーテル、ポリオキシエチレンポリオキシプロピレンエーテル、グリセリン脂肪酸エステル、プロピレングリコール脂肪酸エステル、ソルビタン脂肪酸エステル、ポリエチレングリコール脂肪酸エステル、ポリオキシエチレン脂肪酸エステルが挙げられ、また、陰イオン系界面活性剤としては、アルキル硫酸エステルナトリウム、アルキルエーテル硫酸エステルナトリウム、アルキルスルホン酸ナトリウムが挙げられる。
【００２１】
また本発明に用いる水系洗剤原液は、苛性ソーダ（ＮａＯＨ）、珪酸塩（例えばｎＮａ２Ｏ・ｍＳｉＯ２）、炭酸塩（例えばＮａ２ＣＯ３）、キレート剤（例えばＥＤＴＡ、ポリアクリル酸、ゼオライト）、研磨剤（例えば珪砂、石英砂、アルミナ）を含むことが好ましい。
【００２２】
本発明において、変性吸水性ポリマーとしては、通常の吸水性ポリマーを変性せしめることにより、通常の吸水性ポリマーの吸水能を保持しながら、吸水した水分の蒸発速度を高めるように改質させたものを用いることができる。
【００２３】
吸水性ポリマーとしては、格別限定されるものではないが、澱粉−アクリロニトリルグラフト共重合体、澱粉−アクリル酸グラフト共重合体、澱粉−アクリルアミドグラフト共重合体、セルロース−アクリロニトリルグラフト共重合体、カルボキシメチルセルロース架橋体、ポリアクリル酸ナトリウム架橋体、アクリル酸ナトリウム−ビニルアルコール共重合体、Ｎ−置換アクリルアミド架橋体、ポリビニルアルコール架橋体、ポリビニルアルコール吸水ゲル・凍結・解凍エラストマー、又はヒアルロン酸塩からなるポリマー等が挙げられる。
【００２４】
本発明で用いられる変性吸水性ポリマーは、このような吸水性ポリマーを、物理的、機械的、あるいは化学的に変性して得られる。
【００２５】
物理的変性の例としては、吸水性ポリマーに対して紫外線などの高エネルギー線を照射する方法や、吸水性ポリマーを加熱する方法などが挙げられる。
【００２６】
機械的変性の例としては、吸水性ポリマーを撹拌する方法などが挙げられる。
【００２７】
化学的変性の例としては、吸水性ポリマーを構成する高分子鎖間を架橋する結合を切断する化学物質を用いる方法などが挙げられる。
【００２８】
これらの物理的、機械的、あるいは化学的な変性は、１種又は２種以上の方法を組み合わせて成されてもよい。
【００２９】
本発明では、上記のような変性の結果、変性前の吸水性ポリマーの吸水能を保持しながら、吸水した水分の蒸発速度を高める改質がなされる。この理由は、必ずしも明らかではないが、例えば、吸水性ポリマーを構成する高分子鎖の一部、あるいは、特に好ましいのは高分子鎖間を架橋する結合の一部が破壊されることが上記改質に寄与していることなどが推定される。そして、上記破壊により運動の自由度が増した高分子鎖は、特にｐＨが１０．０〜１１．５の範囲において好適に、上述した臭いの原因となる成分や、肌との接触により手荒れを生じる原因となる成分を取り囲めるようになり、臭いや手荒れの緩和に寄与していることが推定される。
【００３０】
また、水系洗剤原液として比較的高いｐＨ（ｐＨ１２．０〜１３．６）のものを添加することにより、変性吸水性ポリマーが、臭いや手荒れを更に緩和し易くなることも推定される。
【００３１】
変性吸水性ポリマーを水に溶解してなる液（Ａ液）を製造する好ましい一例においては、まず、容器、好ましくはスプレー容器に、ポリマー（吸水性樹脂）を入れて水で希釈する。この水は脱イオン水を用いることが好ましい。希釈中に、あるいは希釈後、攪拌を行なう。攪拌手段は特に限定されず、通常の攪拌翼式の攪拌機を用いることができる。攪拌機の回転数は、１５００〜５０００ｒｐｍの範囲で任意に設定できる。攪拌時間は、１０分〜４０分の間でよい。攪拌が終了したら、１０〜２５℃、好ましくは１５℃程度で、２０〜４０分間、好ましくは１０〜３０分程度保持する。このような温度と時間をかけて保持することにより、ポリマーを変性させた変性吸水性ポリマーを得ることができる。この変性吸水性ポリマーの水溶液を（Ａ液）とすることができる。
【００３２】
次に、本発明に係る水系改質洗剤の製造方法の第２態様について説明する。
【００３３】
まず、スプレー容器に、変性吸水性ポリマーを水に溶解してなる液（Ａ液）を入れ、次いで、撹拌しながら、下記Ｉ群から選択される少なくとも１種の化合物と、下記ＩＩ群から選択される少なくとも１種の化合物とを、水で希釈して得られる液（Ｂ液）を徐々に添加し、次いで、撹拌しながら、ｐＨ１２．０〜１３．６の水系洗剤原液を添加し、混合撹拌することにより水系改質洗剤を得る。その際、得られる水系改質洗剤のｐＨを、１０．０〜１１．５の範囲とする。
【００３４】
〔Ｉ群〕
水ガラス（珪酸ナトリウム）、ウレタン樹脂エマルジョン、酢酸ビニル樹脂エマルジョン、アクリル樹脂エマルジョン、ポリアクリル酸ナトリウム、オルガノポリシロキサン、シランカップリング剤又はポリビニルアルコール樹脂エマルジョン
【００３５】
〔ＩＩ群〕
カルボキシメチルセルロース、メチルセルロース、ヒドロキシエチルセルロース又はヒドロキシメチルセルロース、ゼラチン、アルブミン、カゼイン、アルギン酸ソーダ、寒天、ペクチン、カラギナン、ガーガム、ポリ酢酸ビニール、ポリ塩化ビニール、ポリ塩化ビニリデン、変性ポリエステル、ポリビニルアルコール、ポリビニルアルコール架橋体、ポリアクリル酸アルキル共重合体、ポリアクリル酸アルキル、ポリアクリル酸架橋体、水溶性ポリアミド、ポリアルキレンオキサイド重合体、無水珪酸、ヘクトライト、珪酸アルミニウム・マグネシウム又は珪酸ナトリウム・マグネシウム
上記Ｉ群に挙げられる化合物は、水溶性接着剤として機能し得るものであり、上記ＩＩ群に挙げられる化合物は、水溶性増粘剤として機能し得るものである。
【００３６】
これらを含有することにより、第１態様において説明した効果に加えて、更なる効果が奏される。
【００３７】
即ち、本発明に係る水系改質洗剤を、例えば傾斜面ないし垂直面からなる被洗浄部位に塗布した際に、当該水系洗剤を、これらの面に、長時間にわたって好適に保持することが可能となり、洗浄効率を更に向上する効果が得られる。
【００３８】
通常、水系洗剤が、被洗浄部位に長時間にわたって保持される場合は、においの放出が顕著となったり、意図せず水系洗剤に触れて肌荒れを生じたり、あるいは、被洗浄部位をアルカリにより劣化させたりする問題を生じる懸念が高まるが、本発明の特に第２態様によれば、このような問題を好適に防止できる効果が得られる。
【００３９】
以上のようにして得られた本発明に係る水系改質洗剤は、噴霧可能にスプレー容器に封入され、スプレーとして流通され、利用者（顧客）に提供されることが好ましい。
【００４０】
利用者は、水系改質洗剤が既にスプレー容器に封入されていることから、当該水系改質洗剤が、これ以上の希釈を必要としないことを容易に認識でき、これにより、上述した本発明の効果が、利用者によって好適に奏され得るようになる。
【００４１】
本発明の水系改質洗剤には、必要に応じて、紫外線防止剤、消臭剤、抗菌剤、電磁波防止剤、静電気防止剤、芳香剤、カビ取り剤、漂白剤などの成分を、本発明の作用効果を阻害しない範囲で含有することができる。
【００４２】
紫外線防止剤としては、ベンゾトリアゾール系化合物、シリコーンコート・二酸化チタン、ベンゾフェノン系化合物などが挙げられ、消臭剤としては、サイクロデキストリン、銀ゼオライト、ミョウバン、アパタイト銀、ジルコニア銀、珪藻土、キトサン粉末などが挙げられ、抗菌剤としては、銀ゼオライト、銅ゼオライト、トリアルキルトリアミン、ピリチオンナトリウムなどが挙げられ、電磁波防止剤としては、ナノニッケル粉、カーボンブラック、ナノ銅粉などが挙げられ、芳香剤としては、ペパーミント・ローズマリー抽出物、ヒノキチオール・月桃・ラベンダー抽出物などが挙げられ、カビ取り剤としては、次亜塩素酸塩などが挙げられ、漂白剤としては、過酸化水素塩酸が挙げられる。
【実施例】
【００４３】
以下に、本発明の実施例について説明するが、本発明はかかる実施例に限定されない。
【００４４】
（実施例１）
水系洗剤原液（自社製；ｐＨ１３．６；通常は１０〜３０倍の範囲で希釈して用いられるものに相当）と、変性吸水性ポリマーを含む下記Ａ液とを混合し、希釈して、ｐＨが１１．４の水系改質洗剤を得た。
【００４５】
得られた水系改質洗剤は、比較的高いｐＨであるにもかかわらず、５人の官能試験において、臭気防止性及び手荒れ防止性に優れることが確認された。
【００４６】
＜Ａ液の製造＞
ガラス製容器に、カルボキシメチルセルロース架橋体（吸水性ポリマー）２．７部を入れて、３００部の脱イオン水で希釈し、２０００ｒｐｍで２０分間攪拌後、室温で３０分保持して変性（改質）を行いＡ液とした。
【００４７】
（比較例１）
実施例１において、変性吸水性ポリマーを添加しないこと以外は、実施例１と同様にして、ｐＨが１１．４の水系洗剤を得た。
【００４８】
得られた水系洗剤は、実施例１の水系改質洗剤と同じｐＨであが、５人の官能試験において、臭気防止性及び手荒れ防止性に劣ることが確認された。
【００４９】
＜評価＞
以上の結果より、変性吸水性ポリマーを添加しない比較例１の水系洗剤において、実施例１と同等の臭気防止性及び手荒れ防止性を得るためには、より高倍率で希釈する必要があることがわかる。このような高倍率の希釈は、洗浄力の維持向上の面から好ましいことではない。
【００５０】
以上のことから、本発明によれば、洗浄力を維持向上でき、且つ、臭い低減や手荒れ防止を実現できることがわかる。